(57)【要約】【課題】空調衣服に関し、衣服全体が大きく膨らむこと、さらに体格差により冷却効果が低下することを抑制する。【解決手段】空調衣服１Ａは、衣服本体２とファン６とを備える。衣服本体２は、着用者Ｍの胴部Ｂを包囲する、通気性を有する多孔質素材からなる裏地１２と、当該裏地１２よりも通気性の低い低通気性素材からなる表地１０とで形成され、かつ、着用者Ｍの胴部Ｂを中心として周方向に各々延在して上下方向に並ぶ複数の袋状の気道形成部１４を備える。気道形成部１４は、表地１０が上下方向の複数の位置において周方向に亘って裏地１２に接合されることにより形成される。表地１０のうち一つの気道形成部１４を形成する領域の上下方向の長さＨ１は、これに対応する裏地１２の上下方向の長さＨ２よりも大きく形成されている。【選択図】図１
2020094307.tif 000002
【特許請求の範囲】
【請求項１】
衣服本体と外気導入用のファンとを備えた空調衣服であって、
前記衣服本体は、着用者の胴部を包囲する、通気性を有する多孔質素材からなる裏地と、当該裏地よりも通気性の低い低通気性素材からなる表地とで形成され、かつ、着用者の胴部を中心として周方向に各々延在して上下方向に並ぶ複数の袋状の気道形成部を備え、
前記気道形成部は、前記表地が上下方向の複数の位置において前記裏地に対して前記周方向に亘って接合されることにより形成され、表地のうち一つの気道形成部を形成する領域の面積がこれに対応する裏地の領域の面積よりも大きく形成されている、ことを特徴とする空調衣服。
【請求項２】
請求項１に記載の空調衣服において、
前記表地のうち一つの前記気道形成部を形成する領域の上下方向の長さが、これに対応する前記裏地の領域の上下方向の長さよりも長く設定されている、ことを特徴とする空調衣服。
【請求項３】
請求項１又は２に記載の空調衣服において、
上下方向の前記複数の位置において前記周方向の一部分に表地と裏地との非接合部分が設けられることにより、前記複数の気道形成部のうち隣接するもの同士が連通している、ことを特徴とする空調衣服。
【請求項４】
衣服本体と外気導入用のファンとを備えた空調衣服であって、
前記衣服本体は、着用者の胴部を包囲する、通気性を有する多孔質素材からなる裏地と、当該裏地よりも通気性の低い低通気性素材からなる表地とで形成され、かつ、上下方向に各々延在して着用者の胴部を中心として周方向に並ぶ複数の袋状の気道形成部を備え、
前記気道形成部は、前記表地が前記周方向の複数の位置において上下方向に亘って裏地に接合されることにより形成され、表地のうち一つの気道形成部を形成する領域の面積がこれに対応する裏地の領域の面積よりも大きく形成されている、ことを特徴とする空調衣服。
【請求項５】
請求項４に記載の空調衣服において、
前記表地のうち一つの前記気道形成部を形成する領域の前記周方向の長さが、これに対応する前記裏地の領域の前記周方向の長さよりも長く設定されている、ことを特徴とする空調衣服。
【請求項６】
請求項１又は２に記載の空調衣服において、
前記周方向の前記複数の位置において上下方向の一部分に表地と裏地との非接合部分が設けられることにより、前記複数の気道形成部のうち隣接するもの同士が連通している、ことを特徴とする空調衣服。
【請求項７】
請求項１〜６に記載の空調衣服において、
前記裏地は、メッシュ生地からなる、ことを特徴とする空調衣服。
【請求項８】
請求項１〜７の何れか一項に記載の空調衣服において、
前記裏地は、伸縮性を有する素材からなる、ことを特徴とする空調衣服。
【請求項９】
請求項１〜８の何れか一項に記載の空調衣服において、
前記表地と前記裏地とは、互いに縫着されることにより直接接合されている、ことを特徴とする空調衣服。
【請求項１０】
請求項１〜３の何れか一項に記載の空調衣服に用いられる衣服本体であって、
着用者の胴部を包囲する、通気性を有する多孔質素材からなる裏地と、当該裏地よりも通気性の低い低通気性素材からなる表地とで形成され、かつ、着用者の胴部を中心として周方向に各々延在して上下方向に並ぶ複数の袋状の気道形成部を備え、
前記気道形成部は、前記表地が上下方向の複数の位置において前記裏地に対して前記周方向に亘って接合されることにより形成され、表地のうち一つの気道形成部を形成する領域の面積がこれに対応する裏地の領域の面積よりも大きく形成され、
前記複数の気道形成部のうちの何れかに、前記ファンを取付可能なファン取付部が設けられている、ことを特徴とする衣服本体。
【請求項１１】
請求項４〜６の何れか一項に記載の空調衣服に用いられる衣服本体であって、
着用者の胴部を包囲する、通気性を有する多孔質素材からなる裏地と、当該裏地よりも通気性の低い低通気性素材からなる表地とで形成され、かつ、上下方向に各々延在して着用者の胴部を中心として周方向に並ぶ複数の袋状の気道形成部を備え、
前記気道形成部は、前記表地が前記周方向の複数の位置において上下方向に亘って裏地に接合されることにより形成され、表地のうち一つの気道形成部を形成する領域の面積がこれに対応する裏地の領域の面積よりも大きく形成され、
前記複数の気道形成部のうちの何れかに、前記ファンを取付可能なファン取付部が設けられている、ことを特徴とする衣服本体。
【発明の詳細な説明】
【技術分野】
【０００１】
本発明は、外気を衣服内に取り込むファン（送風機）を備えた空調衣服及びこの空調衣服に用いられる衣服本体に関するものである。
【背景技術】
【０００２】
近年、電動ファンの作動により外気を衣服本体の内側に取り込むことによって身体の冷却を図るように構成された、空調衣服と称する作業服が注目を浴びている（例えば特許文献１）。空調衣服は、高温環境の室内外で作業を行う作業者の体温上昇を抑制することができ、夏季の熱中症対策としても有効である。
【先行技術文献】
【特許文献】
【０００３】
【特許文献１】特許第６１９１０２８号公報
【発明の概要】
【発明が解決しようとする課題】
【０００４】
空調衣服は、多くの場合、背面部分に電動ファンが備えられているため、取り込まれる外気が背面部分に集中する傾向がある。そこで、通常は、取り込まれる外気により比較的大きく膨らむように衣服本体を形成し、衣服本体内で空気を流動し易くして、着用者の背面側から前面側に空気を流動させるように構成されている。
【０００５】
しかし、衣服全体が大きく膨らむことで、着用者の動きが妨げられる場合がある。また、衣服本体が着用者の体格に対してやや小さ目であったりすると、空気が流動し難くなって充分な冷却効果を得られない場合もある。
【０００６】
本発明は、上記のような事情に鑑みてなされたものであって、衣服全体が大きく膨らむことを抑制するとともに、体格差に拘わらず高い冷却効果を得ることができる空調衣服を提供することを目的としている。
【課題を解決するための手段】
【０００７】
本発明の一局面に係る空調衣服は、衣服本体と外気導入用のファンとを備えた空調衣服であって、前記衣服本体は、着用者の胴部を包囲する、通気性を有する多孔質素材からなる裏地と、当該裏地よりも通気性の低い低通気性素材からなる表地とで形成され、かつ、着用者の胴部を中心として周方向に各々延在して上下方向に並ぶ複数の袋状の気道形成部を備え、前記気道形成部は、前記表地が上下方向の複数の位置において前記裏地に対して前記周方向に亘って接合されることにより形成され、表地のうち一つの気道形成部を形成する領域の面積がこれに対応する裏地の領域の面積よりも大きく形成されている、ことを特徴とするものである。
【０００８】
この空調衣服によると、ファンの作動により空気（外気）が取り込まれると、各気道形成部に空気が入り込んで膨らみ、これら気道形成部により周方向に延在する気道が形成される。このような構成によれば、複数の気道形成部により気道が形成される、換言すれば気道が細分化されるので、衣服本体を大きく膨らませてその内部全体を一つの気道とする従来の空調衣服に比べて、衣服本体の膨らみを抑えることが可能となる。これにより、着用者の動きに支障が生じ難くなる。
【０００９】
しかも、表地のうち一つの気道形成部を形成する領域の面積が、これに対応する裏地の領域の面積よりも大きく形成されているので、つまり、各気道形成部は、裏地よりも表地に余裕のある構成なので、サイズがやや小さいく、着用者の胴部に裏地が密着するような着用状態でも、表地が裏地に対して外側に膨らむことによって気道が確保され（各気道形成部が確実に膨らみ）、当該気道を通じて空気が着用者の胴部全体に拡散される。従って、この空調衣服によれば、衣服全体が大きく膨らむことを抑制できるとともに、体格差によらず高い冷却効果を得ることが可能となる。
【００１０】
この空調衣服においては、前記表地のうち一つの前記気道形成部を形成する領域の上下方向の長さが、これに対応する前記裏地の領域の上下方向の長さよりも長く設定されている。
【００１１】
この構成によれば、裏地よりも表地に余裕のある袋状の気道形成部を好適に形成することが可能となる。
【００１２】
上記の空調衣服においては、上下方向の前記複数の位置において前記周方向の一部分に表地と裏地との非接合部分が設けられることにより、前記複数の気道形成部のうち隣接するもの同士が連通しているのが好適である。
【００１３】
この構成によれば、隣接する気道形成部により形成される気道の間で空気が流動し易くなるため、取り込まれた空気（外気）をより速やかに着用者の胴部全体に拡散させることが可能となる。
【００１４】
本発明の他の一の局面に係る空調衣服は、衣服本体と外気導入用のファンとを備えた空調衣服であって、前記衣服本体は、着用者の胴部を包囲する、通気性を有する多孔質素材からなる裏地と、当該裏地よりも通気性の低い低通気性素材からなる表地とで形成され、かつ、上下方向に各々延在して着用者の胴部を中心として周方向に並ぶ複数の袋状の気道形成部を備え、前記気道形成部は、前記表地が前記周方向の複数の位置において上下方向に亘って裏地に接合されることにより形成され、表地のうち一つの気道形成部を形成する領域の面積がこれに対応する裏地の領域の面積よりも大きく形成されている、ことを特徴とするものである。
【００１５】
この空調衣服によると、ファンの作動により空気（外気）が取り込まれると、各気道形成部に空気が入り込んで膨らみ、これら気道形成部により上下向に延在する気道が形成される。このような構成によれば、複数の気道形成部により気道が形成される、換言すれば気道が細分化されるので、衣服本体を大きく膨らませてその内部全体を一つの気道とする従来の空調衣服に比べて、衣服本体の膨らみを抑えることが可能となる。これにより、着用者の動きに支障が生じ難くなる。
【００１６】
しかも、表地のうち一つの気道形成部を形成する領域の面積が、これに対応する裏地の領域の面積よりも大きく形成されているので、つまり、各気道形成部は、裏地よりも表地に余裕のある構成なので、サイズがやや小さいく、着用者の胴部に裏地が密着するような着用状態でも、表地が裏地に対して外側に膨らむことによって気道が確保され（各気道形成部が確実に膨らみ）、当該気道を通じて空気が着用者の胴部全体に拡散される。従って、この空調衣服によれば、衣服全体が大きく膨らむことを抑制できるとともに、体格差によらず高い冷却効果を得ることが可能となる。
【００１７】
この空調衣服においては、前記表地のうち一つの前記気道形成部を形成する領域の前記周方向の長さが、これに対応する前記裏地の領域の前記周方向の長さよりも長く設定されているのが好適である。
【００１８】
この構成によれば、裏地よりも表地に余裕のある袋状の気道形成部を好適に形成することが可能となる。
【００１９】
上記の空調衣服において、前記周方向の前記複数の位置において上下方向の一部分に表地と裏地との非接合部分が設けられることにより、前記複数の気道形成部のうち隣接するもの同士が連通しているのが好適である。
【００２０】
この構成によれば、隣接する気道形成部により形成される気道の間で空気が流動し易くなるため、取り込まれた空気（外気）をより速やかに着用者の胴部全体に拡散させることが可能となる。
【００２１】
上記各態様の空調衣服において、前記裏地は、メッシュ生地かなるのが好適である。
【００２２】
この構成によれば、各気道形成部に対して裏地を通じて空気が円滑に出入りするため、着用者の冷却効果を損なうことなく上記の気道を確保することが可能となる。
【００２３】
なお、上記各態様の空調衣服において、前記裏地は、伸縮性を有する素材からなるのが好適である。
【００２４】
この構成によれば、裏地を引っ張った状態で当該裏地と表地とを接合することにより、簡単に、表地のうち一つの気道形成部を形成する領域の面積をこれに対応する裏地の領域の面積よりも大きく形成することが可能となる。そのため、衣服本体の生産性、ひいては空調衣服の生産性が向上する。
【００２５】
上記各態様の空調衣服において、前記表地と前記裏地とは、例えば接着剤や接着シートなどの接着媒体を介して互いに直接接合されていてもよいし、縫着されることにより直接接合されていてもよい。
【００２６】
しかし、経年劣化の抑制、接合強度及び着心地の向上の観点からは、前記表地と前記裏地とは、互いに縫着されることにより直接接合されているのが好適である。
【００２７】
本発明の一局面に係る衣服本体は、着用者の胴部を包囲する、通気性を有する多孔質素材からなる裏地と、当該裏地よりも通気性の低い低通気性素材からなる表地とで形成され、かつ、着用者の胴部を中心として周方向に各々延在して上下方向に並ぶ複数の袋状の気道形成部を備え、
前記気道形成部は、前記表地が上下方向の複数の位置において前記裏地に対して前記周方向に亘って接合されることにより形成され、表地のうち一つの気道形成部を形成する領域の面積がこれに対応する裏地の領域の面積よりも大きく形成され、
前記複数の気道形成部のうちの何れかに、前記ファンを取付可能なファン取付部が設けられていることに特徴を有するものである。
【００２８】
このような構成の衣服本体によれば、周方向に各々延在する複数の袋状の気道形成部を備える上記各態様の空調衣服の衣服本体として好適に適用することができる。
【００２９】
本発明の他の一局面に係る衣服本体は、着用者の胴部を包囲する、通気性を有する多孔質素材からなる裏地と、当該裏地よりも通気性の低い低通気性素材からなる表地とで形成され、かつ、上下方向に各々延在して着用者の胴部を中心として周方向に並ぶ複数の袋状の気道形成部を備え、前記気道形成部は、前記表地が前記周方向の複数の位置において上下方向に亘って裏地に接合されることにより形成され、表地のうち一つの気道形成部を形成する領域の面積がこれに対応する裏地の領域の面積よりも大きく形成され、前記複数の気道形成部のうちの何れかに、前記ファンを取付可能なファン取付部が設けられていることに特徴を有するものである。
【００３０】
このような構成の衣服本体によれば、上下方向に各々延在する複数の袋状の気道形成部を備える上記各態様の空調衣服の衣服本体として好適に適用することができる。
【発明の効果】
【００３１】
上記の各態様に係る空調衣服によれば、衣服全体が大きく膨らむことを抑制できるとともに、体格差によらず高い冷却効果が得ることが可能となる。
【図面の簡単な説明】
【００３２】
【図１】図１（ａ）は、本発明の第１実施形態に係る空調衣服の背面図（ファン停止時）、図１（ｂ）は、前記空調衣服の側面図（図１（ａ）のＩ矢視図）である。
【図２】図２（ａ）は、前記空調衣服の背面図（ファン作動時）、図２（ｂ）は、前記空調衣服の側面図（図２（ａ）のＩＩ矢視図）である。
【図３】図３（ａ）は、ファン停止時の前記空調衣服の要部断面図（図１（ａ）のＩＩＩａ−ＩＩＩａ断面図）、図３（ｂ）は、ファン作動時の前記空調衣服の要部断面図（図２（ａ）のＩＩＩｂ−ＩＩＩｂ断面図）、図３（ｃ）は、サイズが小さい場合の前記空調衣服の要部断面図（ファン作動時）である。
【図４】図４は、本発明の第２実施形態に係る空調衣服の背面図（ファン停止時）である。
【図５】図５（ａ）は、第２実施形態に係る空調衣服の背面図（ファン作動時）、図５（ｂ）は、前記空調衣服の側面図（図５（ａ）のＶ矢視図）である。
【図６】図６は、本発明の第３実施形態に係る空調衣服の背面図（ファン作動時）である。
【図７】図７は、本発明の第４実施形態に係る空調衣服の背面図（ファン作動時）である。
【発明を実施するための形態】
【００３３】
以下、本発明の第１実施形態について図面を参照しつつ詳細に説明する。
【００３４】
［空調衣服の全体構成］
図１（ａ）、（ｂ）は、本発明の第１実施形態に係る空調衣服１Ａを示しており、図１（ａ）は背面図で、図１（ｂ）は側面図（図１（ａ）のＩ矢視図）で各々空調衣服１Ａを示している。
【００３５】
空調衣服１Ａは、衣服本体２と、この衣服本体２に対して各々着脱可能に取り付けられた２つの電動ファン６（以下、ファン６と略す）と、各電動ファン６を駆動するためのバッテリ等を含むコントローラと、を備えている。
【００３６】
衣服本体２は、着用者Ｍの上半身を覆う衣服であり、身ごろ部３と袖部４とを備える。衣服本体２の背面下部、具体的には身ごろ部３の腰に対応する部位には、所定の間隔を隔て左右２つのファン取付孔２ａ（本発明のファン取付部に相当する）が形成されており、２つのファン６がこれらファン取付孔２ａに各々挿入された状態で衣服本体２に取り付けられている。
【００３７】
身ごろ部３の前面（前身ごろ）の中央には、上下方向に延在する図外のファスナーが設けられており、空調衣服１Ａを脱ぎ着する際には、このファスナーで衣服本体２の前面を開放するようになっている。
【００３８】
図３（ａ）は、空調衣服の断面図（図１（ａ）のＩＩＩａ−ＩＩＩａ断面図）である。衣服本体２は、同図に示すように、表地１０と、その内側で着用者Ｍの胴部Ｂを包囲する裏地１２とを備えている。
【００３９】
裏地１２は、通気性を有する多孔質素材で形成されており、当例では、ポリエチレン等のポリエステル系、或いはナイロン系のメッシュ生地で形成されている。一方、表地１０は、裏地１２よりも通気性の低い低通気性素材（非通気性素材を含む）で形成されており、当例では、綿１００％や綿混の生地、或いはポリエステル系やナイロン系の生地で形成されている。
【００４０】
身ごろ部３の裏地１２は、例えば、ＪＩＳ  Ｌ  ４００４／４００５に規定された体型区分に準拠したサイズ設定がなされており、着用者Ｍの胴部Ｂを、若干余裕をもって包囲し得るように形成されている。
【００４１】
一方、身ごろ部３の表地１０は、裏地１２よりも上下方向の寸法が大きく形成されており、図１及び図３（ａ）に示すように、上下方向の複数の位置で、当該表地１０を若干弛ませた状態で、周方向（着用者Ｍを中心とした水平回り）に亘って裏地１２に縫着されている（図中の符号Ｓｅは縫着部分を示す）。これにより、衣服本体２の身ごろ部３に、上下方向に並び各々周方向に延在する複数の袋状の気道形成部１４が形成されている。
【００４２】
より具体的に説明すると、表地１０は、裏地１２の上端部（襟元）、脇下、胸下、腰部及び下端部の各々の位置で周方向に亘って当該裏地１２に縫着されている。これにより、主に肩回りに位置する第１気道形成部１４ａと、主に胸回りに位置する第２気道形成部１４ｂと、主に腰及び腹回りに位置する第３気道形成部１４ｃと、腰下回りに位置する第４気道形成部１４ｄの合計４つの気道形成部１４ａ〜１４ｄが形成されている。
【００４３】
表地１０のうち一つの気道形成部１４を形成する領域の面積は、これに対応する裏地１２の領域の面積よりも大きく形成されている。当例では、図３（ａ）に示すように、表地１０のうち、一つの気道形成部１４を形成する領域の上下方向の長さＨ１（上下方向の幅／図示省略）が、これに対応する裏地１２の領域の上下方向の長さＨ２（上下方向の幅）よりも長く設定されている。換言すると、上下に隣接する縫着部分Ｓｅの間の領域における表地１０の上下方向長さＨ１が、同じ領域における裏地１２の上下方向長さＨ２よりも大きくなるように表地１０が裏地１２に対して縫着されている。これにより、上下に隣接する縫着部分Ｓｅの間で表地１０が若干弛んだ状態となった袋状の気道形成部１４（１４ａ〜１４ｄ）が形成されている。
【００４４】
なお、主に腰及び腹回りに位置する第３気道形成部１４ｃには、その背面部分に左右２つの上記ファン取付孔２ａが形成されており、このファン取付孔２ａを介して第３気道形成部１４ｃにファン６が取り付けられている。
【００４５】
［作用効果］
図２（ａ）、（ｂ）は、ファン作動時の空調衣服１Ａを示しており、図２（ａ）は背面図で、図２（ｂ）は側面図（図２（ａ）のＩＩ矢視図）で各々空調衣服１Ａを示している。また、図３（ｂ）は、ファン作動時の空調衣服１Ａの要部断面図（図２（ａ）のＩＩＩｂ−ＩＩＩｂ断面図）である。
【００４６】
この空調衣服１Ａにおいて、ファン６の作動により空調衣服１Ａの内側に空気（外気）取り込まれると、当該空気が、着用者Ｍ（胴部Ｂ）と空調衣服１Ａとの間に入り込み胴部Ｂを冷却する。また、裏地１２を介して各気道形成部１４ａ〜１４ｄに空気が入り込むことにより、図２（ａ）、（ｂ）及び図３（ｂ）に示すように、各気道形成部１４ａ〜１４ｄが膨み、これら気道形成部１４ａ〜１４ｄによって着用者Ｍを中心としてその回りに延在する気道１６が形成される。これら気道１６に沿って空気が案内されることより、空調衣服１Ａの背面側から前面側に空気が回り込む（図２（ａ）、（ｂ）中の破線矢印は空気の流れを示している）。そのため、この空調衣服１Ａによれば、取り込まれる空気を衣服本体２内で円滑に拡散させることができ、着用者Ｍの胴部全体をより効果的に冷却することが可能となる。
【００４７】
特に、この空調衣服１Ａによれば、複数の気道形成部１４ａ〜１４ｄにより気道１６が形成される、換言すれば気道１６が細分化されるので、衣服本体を大きく膨らませその内部全体を１つの気道とする従来の空調衣服に比べて空調衣服１Ａの膨らみが抑えられる。そのため、着用者Ｍの動きに支障が生じ難くい、という利点がある。
【００４８】
しかも、一つの気道形成部１４を形成する領域の表地１０の上下方向長さＨ１が、同じ領域における裏地１２の上下方向長さＨ２よりも大きく形成されているので、つまり、各気道形成部１４ａ〜１４ｄにおいては裏地１０よりも表地１２に余裕のある構成なので、サイズがやや小さいく、着用者Ｍの胴部Ｂに裏地が密着するような着用状態であっても、図３（ｃ）に示すように、各気道形成部１４ａ〜１４ｄにおいて表地１０が裏地１２に対して外側に膨らむことによって気道１６が確実に確保され、当該気道１６を通じて空気が着用者Ｍの胴部全体に拡散される。
【００４９】
従って、この空調衣服１Ａによれば、衣服本体２が大きく膨らむことを抑制できるとともに、体格差によらず高い冷却効果を得ることができる。
【００５０】
［第２実施形態］
図４は、本発明の第２実施形態に係る空調衣服１Ｂの背面図である。第２実施形態の空調衣服１Ｂは、次の点で第１実施形態の空調衣服１Ａと構成が相違している。それ以外の構成は、基本的には第１実施形態の空調衣服１Ａと同等である。
【００５１】
上述した第１実施形態の空調衣服１Ａでは、隣接する気道形成部１４の境目となる表地１０と裏地１２との縫着部分Ｓｅは、前面（前身ごろ）中央部分を除き周方向に連続している。換言すると、表地１０と裏地１２とは周方向に連続的に縫着されている。
【００５２】
これに対して、第２実施形態の空調衣服１Ｂでは、図４に示すように、表地１０と裏地１２との縫着部分Ｓｅは、背面中央部分において途切れている。すなわち、背面中央部分に、表地１０と裏地１２との非縫着部分Ｎｓが設けられ、第１〜第４の気道形成部１４ａ〜１４ｄのうち、隣接するもの同士が非縫着部分Ｎｓの位置で互いに連通した構成となっている。
【００５３】
この第２実施形態の空調衣服１Ｂについても、衣服本体２に空気（外気）が取り込まれると、裏地１２を介して各気道形成部１４ａ〜１４ｄに空気が入り込むことにより、図５（ａ）、（ｂ）に示すように、各気道形成部１４ａ〜１４ｄが膨み、着用者Ｍを中心としてその回りに延在する気道１６が形成される。この際、第２実施形態の空調衣服１Ｂでは、上記の通り、隣接する気道形成部１４同士が非縫着部分Ｎｓの位置で互いに連通しているので、隣接する気道形成部１４の間で空気が流動し易くなる。そのため、衣服本体２内に取り込まれる空気をより速やかに背面部分の全体に拡散させながら背面側から前面側に流動させることが可能となる。
【００５４】
第１実施形態の空調衣服１Ａの場合には、図３（ｃ）に示すように、サイズがやや小さく着用者Ｍに裏地１２が密着するような着用状態のときには、衣服本体２に取り込まれた空気が上下方向に流動（拡散）し難い場合も生じ得るが、第２実施形態の空調衣服１Ｂによれば、隣接する気道形成部１４同士が非縫着部分Ｎｓの位置で互いに連通しているため、仮に図３（ｃ）に示すような着用状態であったとしても、上下方向への空気の流動が円滑に行われる。
【００５５】
従って、着用者Ｍの体格との関係で、空調衣服１Ｂのサイズがやや小さい場合でも、着用者Ｍをより良好に冷却することができる、という利点がある。
【００５６】
［第３実施形態］
図６は、本発明の第３実施形態に係る空調衣服の背面図である。第３実施形態の空調衣服１Ｃは、次の点で第１実施形態の空調衣服１Ａと構成が相違している。それ以外の構成は、基本的には第１実施形態の空調衣服１Ａと同等である。
【００５７】
第１実施形態の空調衣服１Ａでは、表地１０と裏地１２とは、上下方向の複数の位置で周方向に亘って縫着されており、これにより、上下方向に並び各々周方向に延在する複数の気道形成部１４（１４ａ〜１４ｄ）が衣服本体２に設けられている。
【００５８】
これに対して、第３実施形態の空調衣服１Ｃでは、表地１０と裏地１２とは、周方向の複数の位置で上下方向に亘って縫着されている。これにより、周方向に並び各々上下方向に延在する複数の気道形成部１８が衣服本体２に形成されている。
【００５９】
図示を省略しているが、この空調衣服１Ｃでは、表地１０のうち、一つの気道形成部１８を形成する領域の周方向長さ（周方向の幅）が、これに対応する裏地１２の領域の周方向長さ（周方向の幅）よりも長く設定されている。換言すると、周方向に隣接する縫着部分Ｓｅの間の領域にける表地１０の周方向長さ（図示省略）が、同じ領域における裏地１２の周方向長さよりも大きくなるように表地１０が裏地１２に対して縫着されている。これにより、周方向に隣接する縫着部分Ｓｅの間で表地１０が若干弛んだ状態となった袋状の複数の気道形成部１８が形成されている。
【００６０】
なお、衣服本体２の背面部分において、左右２つの気道形成部１８の腰部には各々上記ファン取付孔２ａが形成され、当該２つの気道形成部１８にファン６が取り付けられている。
【００６１】
この第３実施形態の空調衣服１Ｃでは、衣服本体２に空気（外気）が取り込まれると、各気道形成部１８が膨み、着用者Ｍの胴部Ｂに沿って上下方向に延在する気道が形成される。これにより、空気が各気道形成部１８を通じて上下方向に流動し、主に着用者Ｍの肩部分を経由して背面側から前面側に回り込むこととなる。
【００６２】
従って、この第３実施形態の空調衣服１Ｃの構成においても、第１実施形態の空調衣服１Ａと同様に、空調衣服１Ｃが大きく膨らむことを抑制できるとともに、体格差によらず高い冷却効果を得ることが可能になる。
【００６３】
［第４実施形態］
図７は、本発明の第４実施形態に係る空調衣服の背面図である。第４実施形態の空調衣服１Ｄは、次の点で第３実施形態の空調衣服１Ｃと構成が相違している。それ以外の構成は、基本的には第３実施形態の空調衣服１Ｃと同等である。
【００６４】
上述した第３実施形態の空調衣服１Ｃでは、隣接する気道形成部１８の境目となる表地１０と裏地１２との縫着部分Ｓｅは、上下方向に連続している。換言すると、表地１０と裏地１２とは上下方向に連続的に縫着されている。
【００６５】
これに対して、第３実施形態の空調衣服１Ｄでは、同図に示すように、表地１０と裏地１２との縫着部分Ｓｅは、背面上部において途切れている。すなわち、背面上部に、表地１０と裏地１２との非縫着部分Ｎｓが設けられ、背面部分にある複数の気道形成部１８のうち、隣接するもの同士が非縫着部分Ｎｓの位置で互いに連通した構成となっている。
【００６６】
この第４実施形態の空調衣服１Ｄによれば、隣接する気道形成部１８同士が非縫着部分Ｎｓの位置で互いに連通しているため、背面部分において隣接する気道形成部１８の間で空気が流動し易くなる。そのため、衣服本体２内に取り込まれる空気をより速やかに背面部分の全体に拡散させながら当該背面側から前面側に流動させることが可能となる。
【００６７】
［その他、変形例等］
以上説明した第１〜第４実施形態の空調衣服１Ａ〜１Ｄは、本発明に係る空調衣服の好ましい実施形態の例示であって、空調衣服の具体的な構成や衣服本体の素材等は、本発明の要旨を逸脱しない範囲で適宜変更可能である。
【００６８】
例えば、第１、第２の実施形態の空調衣服１Ａ、１Ｂは、上下方向に並び各々周方向に延在する複数の気道形成部１４（１４ａ〜１４ｄ）を備えた構成であり、第３、第４の実施形態の空調衣服１Ｃ、１Ｄは、周方向に並び各々上下方向に延在する複数の気道形成部１８を備えた構成であるが、空調衣服は、周方向に延在する気道形成部１４と上下方向に延在する気道形成部１８の両方を備えた構成であってもよい。
【００６９】
また、上記実施形態では、表地１０と１２とが縫着されることにより表地１０が裏地１２に直接接合されているが、例えば、接着剤や接着シートなどの接着媒体を介して表地１０と裏地１２とが直接接合された構成も採用可能である。但し、経年劣化の抑制、接合強度及び着心地の向上の観点からは、表地１０と裏地１２とは、互いに縫着されることにより直接接合されているのが好適である。
【００７０】
なお、上記実施形態では言及してないが、衣服本体２の裏地１２は、伸縮性を有する素材（表地１０よりも伸縮性の高い素材）から形成されているのが好適である。この構成によれば、裏地１２を引っ張った状態で当該裏地１２と表地１０とを縫着（接合）することにより、簡単に、表地１０うち一つの気道形成部１４（１８）を形成する領域の面積をこれに対応する裏地１２の領域の面積よりも大きく形成することが可能となる。例えば第１、第２の実施形態の空調衣服１Ａ、１Ｂの場合には、表地１０に対して裏地１２を上下方向に引き延ばしながら当該裏地１２と表地１０とを縫着するようにすれば、上下に隣接する縫着部分Ｓｅの間の領域における表地１０の上下方向長さＨ１が、同じ領域における裏地１２の上下方向長さＨ２よりも大きくなるように、簡単に表地１０と裏地１２とを縫着することができる。従って、伸縮性を有する素材からなる裏地１２を備える構成によれば、衣服本体２の生産性、ひいては空調衣服１Ａ〜１Ｄの生産性が向上するという利点がある。
【符号の説明】
【００７１】
１Ａ、１Ｂ、１Ｃ、１Ｄ  空調衣服
２  衣服本体
２ａ  ファン取付孔（ファン取付部）
３  身ごろ部
４  袖部
６  電動ファン
１０  表地
１２  裏地
１４、１８  気道形成部
１６  気道
Ｓｅ  縫着部分
Ｎｓ  非縫着部分
Ｍ  着用者
Ｂ  胴部
【図１】
2020094307.tif 000003
【図２】
2020094307.tif 000004
【図３】
2020094307.tif 000005
【図４】
2020094307.tif 000006
【図５】
2020094307.tif 000007
【図６】
2020094307.tif 000008
【図７】
2020094307.tif 000009